(57)【要約】【課題】転写具における転写テープを交換する際に廃棄される部品の数を削減する。【解決手段】転写物を転写テープ１２６から転写対象面に転写するための転写ヘッド１２５を備えた転写具本体１と、転写具本体１に装着される把持部を有する外ケース２とを具備し、外ケース２が転写具本体１に対して相対的に回転移動することで、転写具本体１が外ケース２に覆われる非使用状態と転写具本体１の少なくとも転写ヘッド１２５が外ケース２外に露出する使用状態とをとり得る転写具であって、前記転写具本体１が、前記外ケース２に離脱不能に取り付けられたベース部１１と、このベース部１１に着脱可能に取り付けられ少なくとも前記転写テープ１２６を保持するリフィル部１２とを備えている転写具を構成した。【選択図】図７
2019104112.tif 000002
【特許請求の範囲】
【請求項１】
転写物を転写テープから転写対象面に転写するための転写ヘッドを備えた転写具本体と、転写具本体に装着される把持部を有する外ケースとを具備し、外ケースが転写具本体に対して相対的に回転移動することで、転写具本体が外ケースに覆われる非使用状態と転写具本体の少なくとも転写ヘッドが外ケース外に露出する使用状態とをとり得る転写具であって、
前記転写具本体が、前記外ケースに離脱不能に取り付けられたベース部と、このベース部に着脱可能に取り付けられ少なくとも前記転写テープを保持するリフィル部とを備えている転写具。
【請求項２】
前記転写具本体のリフィル部に、前記転写テープを繰り出す繰出リールと、繰出リールから繰り出される転写テープが巻き掛けられる前記転写ヘッドと、転写ヘッドを経由した転写テープを巻き取る巻取リールとが設けられ、
前記転写具本体のベース部に、前記繰出リールの回転と前記巻取リールの回転とを連動させるための伝動機構が設けられている請求項１記載の転写具。
【請求項３】
前記外ケースが、当該外ケースの前記転写具本体に対する相対回転移動の過程で転写具本体を通過させる開口部と、転写具本体を通過させない閉塞部とを有しており、
前記閉塞部に、前記転写具本体の略全域を露出させるように前記外ケースを展開するためのヒンジが設けられている請求項１または２記載の転写具。
【請求項４】
前記ヒンジが、前記閉塞部における直線的に拡張した部位に設けられている請求項３記載の転写具。
【請求項５】
前記外ケースは、第一ケース部材と、第一ケース部材に接合する第二ケース部材とを備えており、
前記ヒンジは、前記両ケース部材が重なり合い前記外ケースが閉じた状態となる閉成姿勢と、両ケース部材が離反して外ケースが開いた状態となる展開姿勢との間で、第二ケース部材が第一ケース部材に対して相対的に回動できるように、第二ケース部材を第一ケース部材に連結し、
なおかつ、前記ヒンジは、前記第二ケース部材が前記閉成姿勢と前記展開姿勢との間の思案点よりも前記第一ケース部材に近いときに、当該第二ケース部材を閉成姿勢若しくはその近傍に向けて付勢する一方、第二ケース部材が思案点よりも第一ケース部材から離れているときに、当該第二ケース部材を展開姿勢若しくはその近傍に向けて付勢するスナップヒンジである請求項３または４記載の転写具。
【請求項６】
前記ヒンジは、前記第一ケース部材及び前記第二ケース部材にそれぞれ取り付けられる一対の取付部と、両取付部を相対回動可能に連結する連結部と、連結部とは別に両取付部に跨って設けられ両取付部を前記閉成姿勢若しくはその近傍または前記展開姿勢若しくはその近傍に向けて弾性付勢するばね部とを有しており、
前記ばね部は、前記思案点を境として前記取付部を付勢する方向が反転する請求項５記載の転写具。
【請求項７】
前記ヒンジが、前記外ケースの外側面から外側方に突出しない請求項３、４、５または６記載の転写具。
【発明の詳細な説明】
【技術分野】
【０００１】
本発明は、粘着剤や修正テープ、顔料等の転写物を紙面その他の転写対象面に転写するために使用される転写具に関する。
【背景技術】
【０００２】
この種の転写具は、転写物を付着させた転写テープを繰り出す繰出リールと、繰出リールから繰り出される転写テープが巻き掛けられた転写ヘッドと、転写ヘッドを経由した転写テープを巻き取る巻取リールとを備えており、転写ヘッドを転写対象面に対して押圧することで、転写物を転写テープから転写対象面に転写することができる。
【０００３】
繰出リール、転写ヘッド及び巻取リールを包有する転写具本体は、非使用時に外ケースに収容されることがある。例えば、下記特許文献に開示されている転写具では、外ケース（「ケースホルダー２」）が転写具本体に対して相対的に回転移動可能となっており、使用時に外ケースを正方向に回転させて転写具本体及び転写ヘッドを露出させるとともに、非使用時には外ケースを逆方向に回転させて転写具本体を外ケースの内に収納するようになっている。
【０００４】
転写具の使用に伴い、転写テープは消費されてゆくので、これを適時交換する必要が生じる。下記特許文献に開示されている転写具でも、転写テープを使い切った転写具本体を外ケースから取り外し、代わりに新たな転写具本体を外ケースに装着することにより、転写テープを交換、つまりは転写物を補給することが可能である。
【０００５】
しかし、転写具本体は、繰出リール、転写ヘッド、巻取リールに加えて、繰出リールの回転と巻取リールの回転とを連動させる歯車伝動機構や、これらを支持するフレーム（「ケース３」）等をも含んでいる。従って、転写具本体全体を交換することで、廃棄される部品が多くなるきらいがある。
【先行技術文献】
【特許文献】
【０００６】
【特許文献１】特開平１１−１７０７７５号公報
【発明の概要】
【発明が解決しようとする課題】
【０００７】
本発明は、転写テープを交換する際に廃棄される部品の数を削減することを主たる目的としている。
【課題を解決するための手段】
【０００８】
上述した課題を解決するべく、本発明では、転写物を転写テープから転写対象面に転写するための転写ヘッドを備えた転写具本体と、転写具本体に装着される把持部を有する外ケースとを具備し、外ケースが転写具本体に対して相対的に回転移動することで、転写具本体が外ケースに覆われる非使用状態と転写具本体の少なくとも転写ヘッドが外ケース外に露出する使用状態とをとり得る転写具であって、前記転写具本体が、前記外ケースに離脱不能に取り付けられたベース部と、このベース部に着脱可能に取り付けられ少なくとも前記転写テープを保持するリフィル部とを備えている転写具を構成した。
【０００９】
前記転写具本体のリフィル部に、前記転写テープを繰り出す繰出リールと、繰出リールから繰り出される転写テープが巻き掛けられる前記転写ヘッドと、転写ヘッドを経由した転写テープを巻き取る巻取リールとが設けられ、前記転写具本体のベース部に、前記繰出リールの回転と前記巻取リールの回転とを連動させるための伝動機構が設けられていれば、転写テープを交換する際に伝動機構が取り替えられず、廃棄される部品の数をさらに減らすことができる。
【００１０】
そして、前記外ケースが、当該外ケースの前記転写具本体に対する相対回転移動の過程で転写具本体を通過させる開口部と、転写具本体を通過させない閉塞部とを有しており、前記閉塞部に、前記転写具本体の略全域を露出させるように前記外ケースを展開するためのヒンジが設けられていれば、転写テープの交換に際して転写具本体のリフィル部を脱着する作業が容易となる。前記ヒンジは、例えば、前記閉塞部における直線的に拡張した部位に設けられる。
【００１１】
前記外ケースが、第一ケース部材と、第一ケース部材に接合する第二ケース部材とを備えており、前記ヒンジが、前記両ケース部材が重なり合い前記外ケースが閉じた状態となる閉成姿勢と、両ケース部材が離反して外ケースが開いた状態となる展開姿勢との間で、第二ケース部材が第一ケース部材に対して相対的に回動できるように、第二ケース部材を第一ケース部材に連結し、なおかつ、前記ヒンジが、前記第二ケース部材が前記閉成姿勢と前記展開姿勢との間の思案点よりも前記第一ケース部材に近いときに、当該第二ケース部材を閉成姿勢若しくはその近傍に向けて付勢する一方、第二ケース部材が思案点よりも第一ケース部材から離れているときに、当該第二ケース部材を展開姿勢若しくはその近傍に向けて付勢するスナップヒンジであるならば、リフィル部をベース部に対して着脱する際に外ケースを展開姿勢に維持しておくことができ、リフィル部の交換が完了した後には外ケースを簡便に閉成姿勢まで閉じることができる。
【００１２】
前記ヒンジが、前記第一ケース部材及び前記第二ケース部材にそれぞれ取り付けられる一対の取付部と、両取付部を相対回動可能に連結する連結部と、連結部とは別に両取付部に跨って設けられ両取付部を前記閉成姿勢若しくはその近傍または前記展開姿勢若しくはその近傍に向けて弾性付勢するばね部とを有しており、前記ばね部が、前記思案点を境として前記取付部を付勢する方向が反転するものであれば、ヒンジを両ケース部材とは別体をなす部品とすることができ、これを他の文具等に流用することが可能となる。
【００１３】
前記ヒンジが、前記外ケースの外側面から外側方に突出しないように設けられていれば、ヒンジの存在が転写具の意匠性を損なわず、またヒンジが手触りを悪くしたり他の物品と衝突または干渉したりすることも回避できる。
【発明の効果】
【００１４】
本発明によれば、転写具おける転写テープを交換する際に廃棄される部品の数を削減することができる。
【図面の簡単な説明】
【００１５】
【図１】本発明の一実施形態の転写具を示す斜視図。
【図２】同実施形態の転写具の操作ボタンを示す斜視図。
【図３】同実施形態の転写具の外ケースを回転させて転写ヘッドを露出させた状況を示す斜視図。
【図４】同実施形態の転写具の外ケースを回転させて第一の使用状態とした状況を示す斜視図。
【図５】同実施形態の転写具の外ケースを回転させて第二の使用状態とした状況を示す斜視図。
【図６】同実施形態の転写具の外ケースを展開した状況を示す斜視図。
【図７】同実施形態の転写具のリフィル部をベース部から取り外した状況を示す分解斜視図。
【図８】同実施形態の転写具の外ケースのヒンジを示す斜視図。
【図９】同実施形態の転写具の外ケースのヒンジを示す側断面図。
【図１０】同実施形態の転写具の外ケースのヒンジを示す斜視図。
【図１１】同実施形態の転写具の転写具本体及び第一ケース部材を示す側断面図。
【図１２】同実施形態の転写具の第一ケース部材、カバー及び変換機構を示す平面図。
【図１３】同実施形態の転写具の第一ケース部材、カバー及び変換機構を示す平面図。
【図１４】同実施形態の転写具の第一ケース部材、カバー及び変換機構を示す平面図。
【図１５】同実施形態の転写具の第一ケース部材、カバー及び変換機構を示す平面図。
【図１６】同実施形態の転写具の変換機構の歯車を示す分解斜視図。
【図１７】同実施形態の転写具の変換機構の歯車を示す平断面図。
【図１８】本発明の変形例の一に係る転写具を示す斜視図。
【図１９】同変形例の転写具を示す斜視図。
【図２０】同変形例の転写具の転写具本体のフレーム及び外ケースを示す平断面図。
【発明を実施するための形態】
【００１６】
本発明の一実施形態を、図面を参照して説明する。図１ないし図１５に示す本実施形態の転写具は、例えば粘着剤や修正テープ、顔料等の転写物を転写テープ１２６から紙面その他の転写対象面に転写するための転写ヘッド１２５を備えた転写具本体１と、転写具本体１に装着されてこれを覆う外ケース２とを具備してなる。そして、外ケース２が転写具本体１に対して相対的に回転移動することにより、図１及び図２に示すように転写具本体１及び転写ヘッド１２５が外ケース２内に収納される非使用状態と、図４及び図５に示すように転写具本体１の転写ヘッド１２５が外ケース２外に露出する使用状態とをとり得るものである。
【００１７】
図６、図７及び図１１に示すように、転写具本体１は、転写対象面に転写されるべき転写物が付着している（即ち、転写物を支持している）転写テープ１２６を繰り出す繰出リール１２４と、繰出リール１２４から繰り出される転写テープ１２６が巻き掛けられる転写ヘッド１２５と、転写ヘッド１２５を経由した後の転写テープ１２６を巻き取る巻取リール１２３と、繰出リール１２４の回転と巻取リール１２３の回転とを連動させる歯車伝動機構１１３とを備えている。本実施形態の転写具を使用する際には、転写ヘッド１２５が外ケース２の外部に露出する使用状態とした後、外ケース２の把持部を把持し、転写ヘッド１２５を転写対象面に対して押圧しながら、転写具を転写対象面に対して相対的に変位させる。さすれば、巻取リール１２３が繰り出された転写テープ１２６の外表面に付着している転写物を、転写テープ１２６から転写対象面に転写することができる。転写物が剥離し除去された使用済みの転写テープ１２６は、巻取リール１２３に巻き取られる。
【００１８】
外ケース２は、第一ケース部材２１及び第二ケース部材２２を要素とした半割構造をなす。外ケース２は、繰出リール１２４及び巻取リール１２３の回転軸の伸びる方向に沿って見た平面視において、基端側が円形で先端側に向かって徐々に先細りとなる略涙滴状の外形を有している。その基端側の円弧状の輪郭の中心が、当該外ケース２の転写具本体１に対する相対的な回転移動の中心となっており、外ケース２は繰出リール１２４及び巻取リール１２３の回転軸と略平行に伸びる軸回りに正逆回転する。
【００１９】
第一ケース部材２１は、平面視略涙滴状をなす底壁２１１と、底壁２１１の外周縁から起立する周壁２１２とを有した樹脂一体成形品である。並びに、第二ケース部材２２は、平面視略涙滴状をなし第一ケース部材２１の底壁２１１と対向する頂壁２２１と、頂壁２２１の外周縁から垂下して第一ケース部材２１の周壁と突合する周壁２２２とを有した樹脂一体成形品である。外ケース２の基端側にある底壁２１１及び頂壁２２１は、転写具を使用する使用者が把持することのできる把持部となる。
【００２０】
外ケース２の周壁２１２、２２２は、当該外ケース２の全周に亘って連続してはおらず、一部が切り欠かれている。具体的には、外ケース２の先端側から基端側に向かって直線的に延びる一方の側辺、及び外ケース２の部分円筒状をなす基端側の外周、他方の側辺近傍までの領域が開口している。この開口部２３は、外ケース２の内部空間を外側方に連通せしめるとともに、転写具本体１の転写ヘッド１２５を含む先端側を出し入れするための出入口となる。
【００２１】
周壁２１２、２２２の切り欠かれていない部分は、外ケース２の内部空間を外側方から遮蔽する閉塞部となる。閉塞部は、外ケース２の先端部位、及び外ケース２の先端側から基端側に向かって直線的に延びる他方の側辺を含む。その上で、この直線状に拡張する部位に、第一ケース部材２１と第二ケース部材２２とを相対回動可能に連結するヒンジ２４を付設している。
【００２２】
第二ケース部材２２は、第一ケース部材２１に対し、外ケース２の他方の側辺の延びる方向（閉塞部の拡張する方向）に略平行な軸回りに回動する。そして、図１ないし図５に示すように両ケース部材２１、２２が重なり合い外ケース２が閉じた状態となる閉成姿勢と、図６及び図７に示すように両ケース部材２１、２２が離反して外ケース２が開いた状態となる展開姿勢とをとり得る。回転軸の方向は、繰出リール１２４及び巻取リール１２３の回転軸の方向に対して略垂直である。第二ケース部材２２が第一ケース部材２１に対して展開姿勢をとるとき、平面視転写具本体１の略全域が外ケース２に覆われることなく露出する。
【００２３】
本実施形態におけるヒンジ２４は、第一ケース部材２１及び第二ケース部材２２の各々とは別体をなす樹脂成形品である。図８ないし図１０に示すように、ヒンジ２４は、第一ケース部材２１における閉塞部を構成する周壁２１２に固定される第一の取付部２４１と、第二ケース部材２２における閉塞部を構成する周壁２２２に固定される第二の取付部２４２と、これら一対の取付部２４１、２４２を相対回動可能に連結する連結部２４３と、連結部２４３とは別に両取付部２４１、２４２に跨って設けられ両取付部２４１、２４２を弾性付勢するばね部２４４とを有している。
【００２４】
外ケース２が閉成姿勢をとるとき、第一ケース部材２１の周壁２１２と第二ケース部材２２の周壁２２２とが互いに略面一となり、故にヒンジ２４の第一の取付部２４１と第二の取付部２４２とが互いに略面一となる。このとき、図８及び図９に示すように、連結部２４３は外ケース２の外側方に向かって突き出すような湾曲形状をなす。翻って、外ケース２が展開姿勢をとるとき、第一ケース部材２１の周壁２１２と第二ケース部材２２の周壁２２２とが優角をなすように拡開し、故にヒンジ２４の第一の取付部２４１と第二の取付部２４２とが優角をなすように拡開する。このとき、図１０に示すように、連結部２４３は外ケース２の内側方に向かって突き出すような湾曲形状をなす。
【００２５】
ヒンジ２４の各取付部２４１、２４２は、第一ケース部材２１及び第二ケース部材２２の各々の周壁２１２、２２２の内側に取り付けられる。図２及び図５に示しているように、ヒンジ２４（の取付部２４１、２４２、連結部２４３及びばね部２４４）は、外ケース２の周壁２１２、２２２の外側面よりも外側方には突出しない。
【００２６】
第二ケース部材２２が閉成姿勢と展開姿勢との間の思案点よりも第一ケース部材２１に近いと、ヒンジ２４のばね部２４４は第二ケース部材２２を閉成姿勢若しくはその近傍に向けて（即ち、外ケース２を閉じる方向に）弾性付勢する。これに対し、第二ケース部材２２が思案点よりも第一ケース部材２１から離れていると、ばね部２４４は第二ケース部材２２を展開姿勢若しくはその近傍に向けて（即ち、外ケース２を開く方向に）弾性付勢する。このように、ヒンジ２４はスナップヒンジとしての作用を営む。
【００２７】
第二の取付部２４２を第一の取付部２４１に対して回動させる過程で、換言すれば第二ケース部材２２を第一ケース部材２１に対して回動させる過程で、連結部２４３の突き出す方向は外ケース２の外側方から内側方に変化し、あるいは逆に外ケース２の内側方から外側方に変化する。連結部２４３の突き出す方向が変化する付近が、外ケース２の閉成姿勢と展開姿勢との中間の思案点である。
【００２８】
転写具本体１は、外ケース２の第一ケース部材２１に離脱不能に取り付けられているベース部１１と、このベース部１１に着脱可能に取り付けられるとともに転写テープ１２６を保持するリフィル部１２とを要素とする。本実施形態の転写具では、転写テープ１２６を交換して転写物を補給するにあたり、リフィル部１２のみを交換し、ベース部１１は交換しない。
【００２９】
図７に示すように、リフィル部１２は、転写テープ１２６を巻く繰出リール１２４及び巻取リール１２３、並びに転写ヘッド１２５を、一体のフレーム１２０に支持させてなる。ベース部１１は、繰出リール１２４と巻取リール１２３とを連動させる歯車伝動機構１１３、転写具の非使用時に転写ヘッド１２５及び転写テープ１２６を汚損から保護するためのカバー（または、シャッタ）１４、並びに外ケース２を転写具本体１に対して回転移動させる際に押下操作される操作部材１５を、一体のフレーム１１０に支持させてなる。
【００３０】
転写具本体１の外殻は、リフィル部１２のフレーム１２０及びベース部１１のフレーム１１０を要素とした半割構造をなす。図６に示すように、転写具本体１の外殻は、平面視において、基端側が円形で先端側に向かって徐々に先細りとなる略涙滴状の外形を有している。その基端側の円弧状の輪郭の中心が、外ケース２の転写具本体１に対する相対的な回転移動の中心となる。
【００３１】
ベース部１１のフレーム１１０は、平面視略涙滴状をなす底壁１１１と、底壁１１１の外周縁から起立する周壁１１２とを有した樹脂一体成形品である。並びに、リフィル部１２のフレーム１２０は、平面視略涙滴状をなしベース部１１の底壁１１１と対向する頂壁１２１と、頂壁１２１の外周縁から垂下してベース部１１の周壁１１２と突合する周壁１２２とを有した樹脂一体成形品である。
【００３２】
転写具本体１の外殻の周壁１１２、１２２は、当該転写具本体１の全周に亘って連続してはおらず、一部が切り欠かれている。特に、転写具本体１の先端側、及びその先端側から基端側に向かって直線的に延びる一方の側辺の部分が開口している。この開口部１３には、カバー１４が配置される。リフィル部１２のフレーム１２０に支持させた転写ヘッド１２５は、転写具本体１の外殻の先端側よりも先方に位置している。
【００３３】
既に述べた通り、転写具本体１のリフィル部１２は、ベース部１１に対して着脱自在となっている。具体的には、図７及び図１１に示しているように、リフィル部１２のフレーム１２０の頂壁１２１からベース部１１に向けて突出する係合片１２７を、ベース部１１のフレーム１１０に設けられた被係合部１１５に挿入して係合させるとともに、ベース部１１のフレーム底壁１１１からリフィル部１２に向けて屹立する係合片１１４を、リフィル部１２のフレーム１２０に設けられた被係合部１２８に挿入して係合させる。なおかつ、リフィル部１２のフレーム１２０に支持された繰出リール１２４及び巻取リール１２３の内周に、ベース部１１のフレーム１１０に設けられた支軸１１６、１１７を嵌入することで、リフィル部１２をベース部１１に組み付けることができる。
【００３４】
リフィル部１２をベース部１１に取り付けたとき、巻取リール１２３に一体的に形成されている歯車１２３１が、ベース部１１に配設された歯車伝動機構１１３の所定の歯車１１３１に噛合する。歯車伝動機構１１３は、互いに噛合する複数の歯車を要素に含み、そのうちの一つ１１３２が繰出リール１２４と同軸となる。この歯車１１３２と、繰出リール１２４に嵌入される支軸１１７との間には、回転速度差を許容しつつトルクを伝達する滑りクラッチ（または、摩擦クラッチ）１１８が介在する。
【００３５】
転写テープ１２６を消費したリフィル部１２を新品のリフィル部１２に交換する際には、図６に示しているように外ケース２を開いて展開姿勢とした後、リフィル部１２のフレーム１２０をベース部１１のフレーム１１０から引き離すようにして、係合片１１４、１２７を被係合部１２８、１１５から抜出し、かつ巻取リール１２３及び繰出リール１２４を支軸１１６、１１７から脱離させる。その結果、図７に示すように、リフィル部１２をベース部１１から取り外すことができる。その上で、新品のリフィル部１２をベース部１１に取り付け、しかる後外ケース２を再び閉じて図１ないし図５に示す閉成姿勢とすればよい。
【００３６】
ベース部１１に装着したリフィル部１２のフレーム１２０の頂壁１２１の上面は、閉成姿勢をとる外ケース２の第二ケース部材２２の頂壁２２１の下面に当接または近接する。図６に示すように、頂壁１２１の上面には、軸孔１２１１及び長孔１２１２が形成されている。軸孔１２１１は、平面視外ケース２の転写具本体１に対する相対回転移動の中心に位置しており、長孔１２１２は、平面視その中心と同心の部分円弧状をなす。第二ケース部材２２の頂壁２２１の下面からは、係合突起２２１１、２２１２が突き出しており、外ケース２の第二ケース部材２２を閉成姿勢としたときに、各係合突起２２１１、２２１２が軸孔１２１１及び長孔１２１２にそれぞれ挿入されてこれらに係合する。係合突起２２１１と軸孔１２１１との係合、及び係合突起２２１２と長孔１２１２との係合は、外ケース２の転写具本体１に対する相対回転移動の妨げとならない。
【００３７】
ベース部１１のフレーム１１０の底壁１１１の下面は、外ケース２の第一ケース部材２１の底壁２１１の上面に当接または近接する。図１１に示すように、底壁１１１には、これを貫通する係止孔１１１１が形成されている。係止孔１１１１は、平面視外ケース２の転写具本体１に対する相対回転移動の中心に位置している。そして、第一ケース部材２１の底壁２１１の上面からは、係止突起２１１１が突き出している。係止突起２１１１は、係止孔１１１１に挿入されてこれに係合する。係止突起２１１１の先端部には、当該係止突起２１１１の係止孔１１１１に対する挿入方向と略直交する方向に突き出した爪２１１２が存在し、この爪２１１２が抜け止めとなって、一旦係止孔１１１１に挿入された係止突起２１１１は係止孔１１１１から容易に抜出することはない。従って、ベース部１１の底壁１１１は、第一ケース部材２１の底壁２１１から離反することができない。つまり、転写具本体１のベース部１１は、外ケース２の第一ケース部材２１から離脱しない。また、係止突起２１１１と係止孔１１１１との係合は、外ケース２の転写具本体１に対する相対回転移動の妨げとならない。
【００３８】
本実施形態の転写具は、図１及び図２に示す非使用状態と、図４に示す第一の使用状態と、図５に示す第二の使用状態とを選択的にとり得る。非使用状態では、転写具本体１及び転写ヘッド１２５が外ケース２内に収容される。のみならず、転写具本体１のベース部１１のフレーム１１０に支持されているカバー１４が、外ケース２の先端部にある周壁２１２、２２２に（即ち、開口部２３の端縁に）当接または極近接する閉位置まで進出する。外ケース２の開口部２３は、外ケース２の基端側から一方の側辺に沿って先端部付近まで拡張している。このことから、非使用状態にあっては、外ケース２の先端部の周壁２１２、２２２と転写具本体１の外殻の周壁１１２、１２２との間に空隙が形成される。だが、カバー１４が、転写具本体１の先端部に所在する転写ヘッド１２５の側方まで進出してこの空隙を閉じ、外ケース２の外部からの転写ヘッド１２５への接触を阻む。カバー１４の存在により、転写具の非使用時に塵や埃が外ケース２内に侵入して転写ヘッド１２５や転写テープ１２６に付着することが抑制される。
【００３９】
第一の使用状態及び第二の使用状態では、転写具本体１の先端側及び転写ヘッド１２５が外ケース２外に露出する。このとき、カバー１４は、転写ヘッド１２５の側方から変位し、転写ヘッド１２５と転写対象面との当接を妨げない開位置まで退避する。第一の使用状態は、非使用状態から外ケース２を転写具本体１に対し一定角度だけ相対回転移動させた状態であり、第二の使用状態は、この第一の使用状態からさらに外ケース２を同一方向に一定角度だけ相対回転移動させた状態である。
【００４０】
しかして、本実施形態の転写具では、外ケース２を、転写具本体１に対して、非使用状態、第一の使用状態及び第二の使用状態の何れかの位置に保定することが可能となっている。
【００４１】
詳述すると、図１２ないし図１５に示すように、第一ケース部材２１の底壁２１１の上面に、ベース部１１の底壁１１１に向かって突出する凸条２１３が形成されている。この凸条２１３は、平面視外ケース２の転写具本体１に対する相対回転移動の中心と同心の部分円弧状をなすレール２１４となる領域を囲繞している。加えて、外側にある凸条２１３の内周面の一部を、外ケース２の転写具本体１に対する相対回転移動の中心に向けて膨出または突出させることで、複数の保定位置２１５、２１６、２１７を構成している。
【００４２】
他方、転写具本体１のベース部１１には、外ケース２の転写具本体１に対する保定を実現するとともにその保定を解除するために操作される操作部材１５が設けられる。操作部材１５は、ベース部１１の底壁１１１の所定部位から突出するピン１１９に係合し、このピン１１９を中心にベース部１１に対して相対的に回動し得る。また、ピン１１９と係合する位置から、ベース部１１のフレーム１１０の基端側に向かって腕部１５５が伸長しており、この腕部１５５の先端はフレーム１１０の周壁１１２の内側面に当接する。さらに、ピン１１９と係合する位置から、ベース部１１のフレーム１１０の先端側に向かって基部１５１が拡張している。
【００４３】
操作部材１５の基部１５１における、第一ケース部材２１の底壁２１１に形成されたレール２１４の直上に位置する部位には、第一ケース部材２１の底壁２１１に向かってストッパ突起１５４が突出している。ストッパ突起１５４は、転写具本体１のベース部１１の底壁１１１を貫通し、第一ケース部材２１の底壁２１１に形成されたレール２１４内に収まる。このストッパ突起１５４が上記の保定位置２１５、２１６、２１７の何れかに係合することにより、外ケース２（の第一ケース部材２１）の転写具本体１（のベース部１１のフレーム１１０）に対する相対回転移動が抑制される、つまりは外ケース２が非使用状態、第一の使用状態及び第二の使用状態の何れかの位置に保定される。図１２は非使用状態を、図１４は第一の使用状態を、図１５は第二の使用状態を、それぞれ表している。
【００４４】
基部１５１の一部は、使用者の手により押下操作される押下ボタン１５２、１５３となっている。押下ボタン１５２、１５３は、転写具本体１の外殻の周壁１１２、１２２に予め形成された窓１６１、１６２から転写具本体１の外側方に向けて表出する。但し、両押下ボタン１５２、１５３がともに使用者の手指の届く位置に露出しているとは限らない。図２及び図１２に示す非使用状態では、押下ボタン１５２が外ケース２の開口部２３を介して露出する一方、押下ボタン１５３は外ケース２の周壁２１２、２２２（の直線状に拡張する部位）に遮られており、使用者の手指でこれに触れることは困難である。対して、図１４及び図１５に示す使用状態では、押下ボタン１５３が外ケース２の開口部２３から露出するようになり、使用者の手指が容易にこれに触れることができる。
【００４５】
外ケース２の転写具本体１に対する保定を解除したい場合には、転写具本体１の周壁１１２、１２２の窓１６１、１６２から表出している押下ボタン１５２、１５３を押下してこれを没入させればよい。さすれば、操作部材１５が、ベース部１１のフレーム１１０に対してピン１１９を中心に回動し、基部１５１に形成されたストッパ突起１５４が、外ケース２の転写具本体１に対する相対回転移動の中心に近づく方向、即ち外側にある凸条２１３の内周面から離反する方向に変位する。結果、ストッパ突起１５４が保定位置２１５、２１６、２１７から離脱して、外ケース２の転写具本体１に対する保定が解除される。
【００４６】
また、このとき、操作部材１５の腕部１５５が、ベース部１１のフレーム１１０の周壁１１２の内側面に押し付けられて弾性変形し反力を蓄える。従って、使用者が押下ボタン１５２、１５３を押下しなくなると、弾性反力によって操作部材１５がピン１１９を中心に逆方向に回動し、ストッパ突起１５４が、外ケース２の転写具本体１に対する相対回転移動の中心から遠ざかる方向、即ち外側にある凸条２１３の内周面に接近する方向に変位する。結果として、再びストッパ突起１５４が何れかの保定位置２１５、２１６、２１７に係合可能となり、使用者が外ケース２を回転させることで任意の使用状態または非使用状態に外ケース２を保定できるようになる。外ケース２が転写具本体１に対して回動移動する際には、ストッパ突起１５４が凸条２１３の内周面に対して摺動しながらレール２１４内を移動し、保定位置２１５、２１６、２１７に到達したときに当該保定位置２１５、２１６、２１７に嵌まり込む。。
【００４７】
そして、外ケース２の第一ケース部材２１と転写具本体１のベース部１１との間には、ねじりコイルばね２５が介在している。このばね２５は、外ケース２の第一ケース部材２１を、非使用状態の位置から使用状態の位置に向かう方向に弾性付勢する。
【００４８】
押下ボタン１５２は、外ケース２内に収納されている転写具本体１及びその転写ヘッド１２５を外ケース２外に露出させるために押下操作される。図１、図２及び図１２に示す非使用状態において、使用者が押下ボタン１５２を押下すると、外ケース２の転写具本体１に対する保定が解除され、ねじりコイルばね２５の発揮する弾性付勢力により、外ケース２が転写具本体１に対して少なくとも図３及び図１３に示す第一の使用状態に近い状態まで自動的に回転移動する。
【００４９】
押下ボタン１５３は、外ケース２外に露出している転写具本体１及び転写ヘッド１２５の外ケース２に対する相対的な角度を変更するために押下操作される。転写具を使用する使用者は、転写具本体１の転写ヘッド１２５を転写対象面に対して押圧する。その反作用で、転写具本体１には、当該転写具本体１を第一の使用状態から第二の使用状態に向かわせる方向の力が加わる。図４及び図１４に示す第一の使用状態において、ストッパ突起１５４と保定位置２１６との係合は、転写具の使用中に転写具本体１が外ケース２に対して意図せず回転することを抑止する。その上で、使用者が押下ボタン１５３（または、押下ボタン１５２）を押下すると、外ケース２の転写具本体１に対する保定が解除され、外ケース２または転写具本体１を第一の使用状態から図５及び図１５に示す第二の使用状態に向けて回転移動させることが可能となる。
【００５０】
外ケース２または転写具本体１を、第二の使用状態から第一の使用状態または非使用状態に向けて回転移動させるためには、必ずしも押下ボタン１５２、１５３を押下する必要がない。とは言え、転写具本体１及び転写ヘッド１２５を外ケース２内に収納するときに、押下ボタン１５２、１５３を押下しても構わない。
【００５１】
転写具の非使用時に転写ヘッド１２５及び転写テープ１２６を保護するカバー１４は、外ケース２の転写具本体１に対する相対回転移動に連動して開閉する。図１２ないし図１５に示しているように、第一ケース部材２１の底壁２１１に形成された凸条２１３の外周面の一部には、歯２１８が存在している。この歯２１８は、転写具本体１のベース部１１のフレーム１１０に支持された歯車１７に噛合する。さらに、この歯車１７が、ベース部１１のフレーム１１０にスライド可能に支持されたカバー１４に形成されているラック歯１４１に噛合する。
【００５２】
外ケース２の第一ケース部材２１が、転写具本体１のベース部１１に対し、図１、図２及び図１２に示す非使用状態から、図４及び図１４に示す第一の使用状態に向かって相対回転移動する過程で、凸条２１３の外周面の歯２１８が歯車１７を回転させ、回転する歯車１７がカバー１４のフレーム１１０、１２０に対するスライド移動を惹起して、カバー１４が閉位置から開位置に変位する。カバー１４が図３及び図１３に示す開位置に至ったとき、歯車１７は、凸条２１３の外周面における、歯２１８の設けられていない部分に到達する。従って、外ケース２（の第一ケース部材２１）が転写具本体１（のベース部１１）に対してさらに回転移動したとしても、それ以上歯車１７が回転することはなく、カバー１４は開位置にあり続ける。
【００５３】
外ケース２の第一ケース部材２１が、転写具本体１のベース部１１に対し、図４及び図１４に示す第一の使用状態に位置づけられたとき、ストッパ突起１５４が、第一の使用状態に対応した保定位置２１６に係合する。同時に、凸条２１３の外周面に一個または小数個設けられている歯２１９が、歯車１７に噛合する。これにより、外ケース２が第一の使用状態の位置に保定されるとともに、ラック歯１４１に噛合する歯車１７の回転が抑制され、カバー１４に外力が作用したとしても、カバー１４がベース部１１に対してスライド移動することなく開位置に保定される。
【００５４】
さらに、外ケース２の第一ケース部材２１が、転写具本体１のベース部１１に対し、図５及び図１５に示す第二の使用状態に位置づけられたとき、ストッパ突起１５４が、第二の使用状態に対応した保定位置２１７に係合する。同時に、凸条２１３の外周面に一個または小数個設けられている歯２１０が、歯車１７に噛合する。これにより、外ケース２が第二の使用状態の位置に保定されるとともに、ラック歯１４１に噛合する歯車１７の回転が抑制され、カバー１４に外力が作用したとしても、カバー１４がベース部１１に対してスライド移動することなく開位置に保定される。
【００５５】
外ケース２の第一ケース部材２１が、転写具本体１のベース部１１に対し、第一の使用状態から非使用状態に向かって相対回転移動する過程では、凸条２１３の外周面の歯２１８が歯車１７を逆回転させ、この歯車１７がカバー１４のベース部１１に対するスライド移動を惹起して、カバー１４が開位置から閉位置に変位することは言うまでもない。
【００５６】
補足すると、図１６及び図１７に示すように、カバー１４のスライド移動を惹起する変換機構の要素である歯車１７は、第一ケース部材２１の底壁２１１におけるベース部１１の底壁１１１に臨む面に形成された歯２１８、２１９、２１０に噛合する第一歯車要素１７１と、ベース部１１のフレーム１１０にスライド可能に支持されているカバー１４に形成された歯１４１に噛合する第二歯車要素１７２との組となっている。平常時、第一歯車要素１７１と第二歯車要素１７２とは一体となって回転し、一体の歯車１７を構成する。
【００５７】
第一歯車要素１７１と第二歯車要素１７２とのうち一方（図示例では、第二歯車要素１７２）には、歯車１７の回転軸の伸びる方向に沿って突出する軸部１７２１が設けられ、他方（図示例では、第一歯車要素１７１）には、当該軸部１７２１が挿入される軸孔１７１１が設けられる。これら軸部１７２１及び軸孔１７１１は、第一歯車要素１７１の回転と第二歯車要素１７２の回転とを連動させ同期させる滑りクラッチ（または、摩擦クラッチ）として機能する。軸孔１７１１の内周には、歯車１７の回転軸と直交する径方向に沿って内方に凹む複数の凹部１７１２が連続的に成形されている。並びに、軸体１７２１の外周には、歯車１７の回転軸と直交する径方向に沿って外方に突き出す凸部１７２２が連続的に成形されている。この凸部１７２２は、軸孔１７１の内周の凹部１７１２の何れかに係合する。また、軸体１７２１は、径方向に沿って内方に弾性変形できるよう、複数の部分に分割されて（図示例では、二分されて）いる。
【００５８】
歯車１７に作用する回転トルクが過大でない平常時には、凹部１７１２と凸部１７２２との係合を通じて第一歯車要素１７１と第二歯車要素１７２との間でトルクが伝達され、第二歯車要素１７２が第一歯車要素１７１に対して相対的に回転せず、両者が一体の歯車１７として回転する。
【００５９】
これに対し、歯車１７に作用する回転トルクが過大となると、軸体１７２１の弾性変形を伴って凸部１７２２が係合している凹部１７１２から脱出し、隣接する凹部１７１２に遷移する。つまり、第一歯車要素１７１と第二歯車要素１７２とを繋ぐクラッチにおいて滑りが生じ、両者の間でトルクが伝達されず、第二歯車要素１７２が第一歯車要素１７１に対して相対的に回転するようになる。即ち、第一歯車要素１７１と第二歯車要素１７２とのうちの一方が回転するにもかかわらず、もう一方が回転しない状態となる。
【００６０】
本実施形態では、転写物を転写テープ１２６から転写対象面に転写するための転写ヘッド１２５を備えた転写具本体１と、転写具本体１に装着される把持部を有する外ケース２とを具備し、外ケース２が転写具本体１に対して相対的に回転移動することで、転写具本体１が外ケース２に覆われる非使用状態と転写具本体１の少なくとも転写ヘッド１２５が外ケース２外に露出する使用状態とをとり得る転写具であって、前記転写具本体１が、前記外ケース２に離脱不能に取り付けられたベース部１１と、このベース部１１に着脱可能に取り付けられ少なくとも前記転写テープ１２６を保持するリフィル部１２とを備えている転写具を構成した。本実施形態によれば、転写テープ１２６の交換に際して付け外しされるのがリフィル部１２に限定され、廃棄部品を減らすことができ、また使用者が誤ってベース部１１まで廃棄してしまうことを防止できる。
【００６１】
特に、前記転写具本体１のリフィル部１２に、前記転写テープ１２６を繰り出す繰出リール１２４と、繰出リール１２４から繰り出される転写テープ１２６が巻き掛けられる前記転写ヘッド１２５と、転写ヘッド１２５を経由した転写テープ１２６を巻き取る巻取リール１２３とが設けられ、前記転写具本体１のベース部１１に、前記繰出リール１２４の回転と前記巻取リール１２３の回転とを連動させるための伝動機構１１３が設けられていることから、転写テープ１２６の交換のために伝動機構１１３の構成部品が廃棄されることがなくなる。
【００６２】
前記外ケース２が、当該外ケース２の前記転写具本体１に対する相対回転移動の過程で転写具本体１を通過させる開口部２３と、転写具本体１を通過させない閉塞部とを有し、前記閉塞部に、前記転写具本体１の略全域を露出させるように前記外ケース２を展開するためのヒンジ２４が設けられているので、外ケース２を展開して転写具本体１のリフィル部１２を簡便に交換することができる。前記ヒンジ２４は、前記閉塞部における直線的に拡張した部位に設けられている。
【００６３】
前記外ケース２が、第一ケース部材２１と、第一ケース部材２１に接合する第二ケース部材２２とを備えており、前記ヒンジ２４が、前記両ケース部材２１、２２が重なり合い前記外ケース２が閉じた状態となる閉成姿勢と、両ケース部材２１、２２が離反して外ケース２が開いた状態となる展開姿勢との間で、第二ケース部材２２が第一ケース部材２１に対して相対的に回動できるように、第二ケース部材２２を第一ケース部材２１に連結し、なおかつ、前記ヒンジ２４が、前記第二ケース部材２２が前記閉成姿勢と前記展開姿勢との間の思案点よりも前記第一ケース部材２１に近いときに、当該第二ケース部材２２を閉成姿勢若しくはその近傍に向けて付勢する一方、第二ケース部材２２が思案点よりも第一ケース部材２１から離れているときに、当該第二ケース部材２２を展開姿勢若しくはその近傍に向けて付勢するスナップヒンジであるため、第二ケース部材２２が思案点を超えれば外ケース２が自動的に展開するようになり、リフィル部１２の交換作業がより容易となる。
【００６４】
前記ヒンジ２４が、前記第一ケース部材２１及び前記第二ケース部材２２にそれぞれ取り付けられる一対の取付部２４１、２４２と、両取付部２４１、２４２を相対回動可能に連結する連結部２４３と、連結部２４３とは別に両取付部２４１、２４２に跨って設けられ両取付部２４１、２４２を前記閉成姿勢若しくはその近傍または前記展開姿勢若しくはその近傍に向けて弾性付勢するばね部２４４とを有し、前記ばね部２４４が、前記思案点を境として前記取付部２４１、２４２を付勢する方向が反転するようにその位置及び形状が設定されている。ヒンジ２４は、両ケース部材２１、２２とは別体の部材となっているので、このヒンジ２４のみを他の文具等に流用することが可能である。
【００６５】
前記ヒンジ２４が、前記外ケース２の外側面から外側方に突出しないため、ヒンジ２４の存在が転写具の意匠性を損なわず、またヒンジ２４が手触りを悪くしたり他の物品と衝突または干渉したりすることも回避できる。
【００６６】
並びに、本実施形態では、転写物を転写対象面に転写するための転写ヘッド１２５を備えた転写具本体１と、転写具本体１を収容する外ケース２とを具備し、外ケース２が転写具本体１に対して相対移動することで、転写具本体１が外ケース２に覆われる非使用状態と転写具本体１の少なくとも転写ヘッド１２５が外ケース２外に露出する使用状態とをとり得る転写具であって、前記転写具本体１が、前記非使用状態において前記外ケース２と転写具本体１との間に形成される空隙を閉じて当該空隙を介した外部からの前記転写ヘッド１２５への接触を遮断するカバー１４を備えており、そのカバー１４が前記相対移動に連動して開閉する転写具を構成した。本実施形態によれば、転写具の非使用時に外ケース２内に塵や埃が侵入することを抑制し、転写ヘッド１２５または転写テープ１２６の汚損を効果的に防止できる。
【００６７】
前記相対移動は、前記外ケース２の前記転写具本体１に対する相対回転移動である。前記カバー１４は、前記転写具本体１の先端側の他方の側辺に沿ってスライド移動可能に設けられおり、転写ヘッド１２５を転写対象面に押圧し転写物を転写対象面に転写する使用時に邪魔とならない。
【００６８】
本実施形態の転写具は、前記外ケース２と前記転写具本体１との相対回転移動を前記カバー１４のスライド移動に変換する変換機構を具備する。変換機構は、凸条２１３の外周面の歯２１８、歯車１７及びカバー１４のラック歯１４１を構成要素とする。
【００６９】
前記変換機構は、前記外ケース２側に設けられた歯２１８と、前記カバー１４側に設けられた歯１４１と、双方の歯２１８、１４１に噛合する歯車１７とを有し、歯車１７が外ケース２と前記転写具本体１との相対回転移動に連動して回転しカバー１４を駆動してそのスライド移動を惹起するものである。前記歯車１７は、前記使用状態において前記歯２１８と噛合しなくなる。従って、使用状態においてカバー１４に外力が加わったとしても、転写具の構成部材の破損や機構の動作不良を招かずに済む。
【００７０】
また、前記変換機構の前記歯車１７が、前記外ケース２側に設けられた歯２１８に噛合する第一歯車要素１７１と、前記カバー１４側に設けられた歯１４１に噛合する第二歯車要素１７２と、前記第一歯車要素１７１と前記第二歯車要素１７２との間に介在し両者の回転を連動させるとともに過大なトルクが作用した場合に第一歯車要素１７１に対する第二歯車要素１７２の相対回転を許容するクラッチ１７１１、１７２１とを有しており、カバー１４に過大な外力が加わる等した場合に、第一歯車要素１７１と第二歯車要素１７２との間でトルクの伝達が抑制されるため、転写具の構成部材の破損や機構の動作不良を防止できる。
【００７１】
前記変換機構は、前記カバー１４を、前記非使用状態において前記空隙を閉じる閉位置から、前記使用状態において前記転写ヘッド１２５と転写対象面との当接を妨げない開位置までスライド移動させる。
【００７２】
前記外ケース２及び前記転写具本体１は、前記非使用状態から一定角度だけ相対回転移動した第一の使用状態と、第一の使用状態からさらに同一方向に一定角度だけ相対回転移動した第二の使用状態とをとり得るものであり、前記変換機構は、前記非使用状態から前記第一の使用状態までの間で前記カバー１４をスライド移動させる。
【００７３】
なお、本発明は以上に詳述した実施形態に限られるものではない。例えば、上記実施形態では、使用状態において歯車１７の歯が外ケース２側の歯２１８と噛合しなくなるように構成されていたが、使用状態において歯車１７の歯がカバー１４側の歯１４１と噛合しなくなるような構造とすることを妨げない。
【００７４】
上記実施形態では、外ケース２がばね２５により非使用状態の位置から使用状態の位置に向かう方向に弾性付勢されており、非使用状態において使用者が押下ボタン１５２を押下することで、外ケース２が第一の使用状態に近い状態まで自動的に回転するようになっていた。しかしながら、必ず外ケース２を自動で回転するように弾性付勢しなければならないわけではなく、ばね２５は必須の構成要素ではない。
【００７５】
外ケース２を自動で回転するように弾性付勢していない場合、外ケース２に覆われた転写ヘッド１２５を外ケース２外に露出させるために、使用者が自らの手で外ケース２または転写具本体１を非使用状態から使用状態に向けて回転させる操作を行う必要がある。図１８ないし図２０に示す変形例の転写具は、外ケース２を自動で回転するように弾性付勢していないものである。この変形例の転写具では、転写具本体１の基端側における部分円筒状をなす外殻の周壁１１２、１２２の外面に、僅かながら凹んだ凹部１８１、１８２を形成してある。それら凹部１８１、１８２は、図２０に示すように、平面視または平断面視において、外ケース２の転写具本体１に対する相対的な回転移動の中心に対称な二箇所に所在している。なお、図２０では、簡明化のため、外ケース２、転写具本体１のフレーム１１０、カバー１４、ヒンジ２４及び転写ヘッド１２５以外の内部構造の図示を省略している。
【００７６】
図１８ないし図２０に示す非使用状態において、転写具本体１の基端側の周壁１１２、１２２及び凹部１８１、１８２が、外ケース２の開口部２３を介して表出している。使用者は、凹部１８１、１８２に指を掛け、転写具本体１の基端側の周壁１１２、１２２を二本の指で摘まむように保持し、転写具本体１を外カバー２に対して回転させる操作を行うことができる。
【００７７】
その他、各部の具体的構成は、本発明の趣旨を逸脱しない範囲で種々変形が可能である。
【産業上の利用可能性】
【００７８】
本発明は、転写物を転写対象面に転写するために使用される転写具に適用できる。
【符号の説明】
【００７９】
１…転写具本体
１１…ベース部
１２…リフィル部
１４…カバー
１２５…転写ヘッド
１２６…転写テープ
２…外ケース
【図１】
2019104112.tif 000003
【図２】
2019104112.tif 000004
【図３】
2019104112.tif 000005
【図４】
2019104112.tif 000006
【図５】
2019104112.tif 000007
【図６】
2019104112.tif 000008
【図７】
2019104112.tif 000009
【図８】
2019104112.tif 000010
【図９】
2019104112.tif 000011
【図１０】
2019104112.tif 000012
【図１１】
2019104112.tif 000013
【図１２】
2019104112.tif 000014
【図１３】
2019104112.tif 000015
【図１４】
2019104112.tif 000016
【図１５】
2019104112.tif 000017
【図１６】
2019104112.tif 000018
【図１７】
2019104112.tif 000019
【図１８】
2019104112.tif 000020
【図１９】
2019104112.tif 000021
【図２０】
2019104112.tif 000022